(57)【要約】【課題】表示部の表示面と枠との一体感を向上させることができる車両用表示装置を提供する。【解決手段】車両用表示装置１は、前面側と背面側とを連通する連通孔６を有する枠部５０と、画像を表示する表示面１７を有し、表示面によって連通孔を背面側から閉塞する表示部１６と、枠部５０における連通孔を囲む面７に連通孔を周回する周回方向に沿って配置され、かつ連通孔の軸方向に延在する複数の突起部３０とを備える。突起部は、突出方向の先端の先端面と、連通孔の軸方向に延在するエッジ部において先端面と交差する側面とを有することが好ましい。【選択図】図１
2017083261.tif 000002
【特許請求の範囲】
【請求項１】
前面側と背面側とを連通する連通孔を有する枠部と、
画像を表示する表示面を有し、前記表示面によって前記連通孔を背面側から閉塞する表示部と、
前記枠部における前記連通孔を囲む面に前記連通孔を周回する周回方向に沿って配置され、かつ前記連通孔の軸方向に延在する複数の突起部と
を備えることを特徴とする車両用表示装置。
【請求項２】
前記突起部は、突出方向の先端の先端面と、前記連通孔の軸方向に延在するエッジ部において前記先端面と交差する側面と、を有する
請求項１に記載の車両用表示装置。
【請求項３】
前記連通孔の軸と直交する断面における前記突起部の断面形状は、基端から先端へ向かうに従い幅が狭くなる先細形状である
請求項１に記載の車両用表示装置。
【請求項４】
前記枠部は、円弧形状の構成部を有し、
前記表示部は、前記表示面における前記円弧形状の構成部の内側の領域に、周方向に沿って配置された指標および前記指標を指示する指針を表示する
請求項１から３の何れか１項に記載の車両用表示装置。
【発明の詳細な説明】
【技術分野】
【０００１】
本発明は、車両用表示装置に関する。
【背景技術】
【０００２】
従来、画像を表示する表示面を有する表示部と、表示面を露出させる開口が設けられた筐体とを有する表示装置がある。このような表示装置の一例として、特許文献１には、筐体と、この筐体に支持されるディスプレイ本体とを含む表示装置が開示されている。筐体には、ディスプレイ本体の表面部の大部分を外方に露出する開口部が形成されている。筐体は、開口部を成す環状壁部を有している。
【先行技術文献】
【特許文献】
【０００３】
【特許文献１】特開２００７−４１４８９号公報
【発明の概要】
【発明が解決しようとする課題】
【０００４】
車両用表示装置において、表示部よりも前面側に、表示部の表示面を囲む枠が設けられることがある。枠は、例えば、表示面を囲み、かつ前面側に向けて突出する囲繞部の前面側端部に設けられる。このように表示部の表示面を囲む枠が設けられる場合、表示面と枠との一体感が低下しやすい。例えば、囲繞部と表示面との境界が明確であると、囲繞部と表示面との不連続性が意識されやすく、結果として枠と表示面との一体感が損なわれてしまう。車両用表示装置において、表示面と枠との一体感を向上できることが望ましい。
【０００５】
本発明の目的は、表示部の表示面と表示面を囲む枠との一体感を向上させることができる車両用表示装置を提供することである。
【課題を解決するための手段】
【０００６】
本発明の車両用表示装置は、前面側と背面側とを連通する連通孔を有する枠部と、画像を表示する表示面を有し、前記表示面によって前記連通孔を背面側から閉塞する表示部と、前記枠部における前記連通孔を囲む面に前記連通孔を周回する周回方向に沿って配置され、かつ前記連通孔の軸方向に延在する複数の突起部とを備えることを特徴とする。
【０００７】
上記車両用表示装置において、前記突起部は、突出方向の先端の先端面と、前記連通孔の軸方向に延在するエッジ部において前記先端面と交差する側面と、を有することが好ましい。
【０００８】
上記車両用表示装置において、前記連通孔の軸と直交する断面における前記突起部の断面形状は、基端から先端へ向かうに従い幅が狭くなる先細形状であることが好ましい。
【０００９】
上記車両用表示装置において、前記枠部は、円弧形状の構成部を有し、前記表示部は、前記表示面における前記円弧形状の構成部の内側の領域に、周方向に沿って配置された指標および前記指標を指示する指針を表示することが好ましい。
【発明の効果】
【００１０】
本発明に係る車両用表示装置は、前面側と背面側とを連通する連通孔を有する枠部と、画像を表示する表示面を有し、表示面によって連通孔を背面側から閉塞する表示部と、枠部における連通孔を囲む面に連通孔を周回する周回方向に沿って配置され、かつ連通孔の軸方向に延在する複数の突起部とを備える。本発明に係る車両用表示装置によれば、複数の突起部からなる凹凸が表示面の画像と重なる。複数の突起部による凹凸は、画像と融合して表示面と枠との一体感を向上させる。よって、本発明に係る車両用表示装置は、表示面と枠との一体感を向上させるという効果を奏する。
【図面の簡単な説明】
【００１１】
【図１】図１は、実施形態に係る車両用表示装置の正面図である。
【図２】図２は、実施形態に係る車両用表示装置の背面側の斜視図である。
【図３】図３は、実施形態に係るケースの正面図である。
【図４】図４は、実施形態に係るケースの前面側の斜視図である。
【図５】図５は、実施形態に係る突起部の平面図である。
【図６】図６は、実施形態に係る突起部の横断面図である。
【図７】図７は、実施形態に係る突起部の縦断面図である。
【図８】図８は、実施形態に係る車両用表示装置の画像表示状態の一例を示す正面図である。
【発明を実施するための形態】
【００１２】
以下に、本発明の実施形態に係る車両用表示装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１３】
［実施形態］
図１から図８を参照して、実施形態について説明する。本実施形態は、車両用表示装置に関する。図１は、実施形態に係る車両用表示装置の正面図、図２は、実施形態に係る車両用表示装置の背面側の斜視図、図３は、実施形態に係るケースの正面図、図４は、実施形態に係るケースの前面側の斜視図、図５は、実施形態に係る突起部の平面図、図６は、実施形態に係る突起部の横断面図、図７は、実施形態に係る突起部の縦断面図、図８は、実施形態に係る車両用表示装置の画像表示状態の一例を示す正面図である。
【００１４】
図１に示すように、本実施形態に係る車両用表示装置１は、ケース２、第一表示部３、および第二表示部４を有する。本実施形態の車両用表示装置１は、車両に搭載され、車両に関する情報を表示する車両用表示装置である。車両用表示装置１は、例えば、車両のダッシュボードに設けられたインストルメントパネルに配置される。本実施形態の車両用表示装置１は、車両の運転席と対向して配置されており、当該運転席に着座した運転者に対して車両前方に位置している。
【００１５】
第一表示部３は、液晶表示部１６を有する。液晶表示部１６は、各種の情報を示す画像を表示面１７に表示する。第二表示部４は、目盛り線１２，１３を有する文字板１０と指針１４，１５とを有するアナログ式表示部である。
【００１６】
図１および図２等に示すように、ケース２は、底部壁部２１および側壁部２２を有する。底部壁部２１は、板状の構成部であり、典型的には平板状に形成されている。側壁部２２は、底部壁部２１を囲んでおり、合成樹脂等で底部壁部２１と一体に形成されている。側壁部２２は、底部壁部２１の前面側に設けられており、底部壁部２１から前面側に向けて突出している。
【００１７】
なお、車両用表示装置１の説明において「前面側」とは、第一表示部３や第二表示部４の表示内容を視認する目視位置の側である。車両用表示装置１が車両のインストルメントパネルに搭載されている場合、底部壁部２１の前面側とは、車室内側であり、典型的には運転者側である。また、「背面側」とは、前面側と反対側である。つまり、底部壁部２１について、運転者等から視認される面である前面２１ａの側とは反対側を背面側と称する。また、車両用表示装置１において、「横方向」とは、車両用表示装置１に正対する視認者（例えば、運転者）から見た場合の左右方向であり、車両用表示装置１が車両に搭載された状態における車幅方向である。以下の説明において、横方向の「左」および「右」は、それぞれ上記視認者から見た場合の左右であり、車両用表示装置１が車両に搭載された状態における車両の左右を示す。車両用表示装置１において、「縦方向」とは、車両用表示装置１に正対する視認者から見た上下方向であり、車両用表示装置１が車両に搭載された状態における車両上下方向である。
【００１８】
車両用表示装置１は、前面側と背面側とを連通する連通孔６を有する枠部５０を備える。本実施形態の枠部５０は、第一囲繞部５１、第二囲繞部５２、円筒部８、および枠部材４１を含む。第一囲繞部５１、第二囲繞部５２、および円筒部８は相互につながっており、無端の枠状の壁部を構成している。以下の説明では、第一囲繞部５１および第二囲繞部５２をまとめて囲繞部５と称することがある。本実施形態の第一囲繞部５１、第二囲繞部５２、および円筒部８は、底部壁部２１と一体に形成されている。連通孔６は、囲繞部５および円筒部８によって囲まれており、枠部５０よりも前面側の空間と背面側の空間とを連通している。枠部５０は、底部壁部２１における縦方向の中央部に設けられている。横方向における枠部５０の配置は、底部壁部２１の左端部から中央部までの範囲である。
【００１９】
図３に示すように、囲繞部５は、連通孔６を左側、上側、および下側から囲んでいる。本実施形態の囲繞部５の前面側から見た概形は、Ｕ字を時計回りに９０度回転させた形状である。すなわち、囲繞部５の左側の端部がＵ字形状の底部となり、囲繞部５の右側の端部は右方向に向けて開放した開放端となっている。囲繞部５は、底部壁部２１の前面２１ａから前面側に向けて突出している。囲繞部５についてより詳細に説明すると、第一囲繞部５１は、円弧形状の構成部である。前面側から見た第一囲繞部５１の形状は、Ｃ字形状であり、囲繞部５の左側部分を構成している。第一囲繞部５１は、前面側から見た場合の径方向の幅が一定の壁部である。
【００２０】
第二囲繞部５２は、囲繞部５の右側部分を構成している。第二囲繞部５２の幅は、第一囲繞部５１の幅よりも狭い。第二囲繞部５２は、下側第二囲繞部５２１および上側第二囲繞部５２２を有する。下側第二囲繞部５２１と上側第二囲繞部５２２とは縦方向において対向している。下側第二囲繞部５２１は、上側第二囲繞部５２２よりも下方にある。下側第二囲繞部５２１は、中央部が下側に向けて突出するように二箇所で屈曲している。下側第二囲繞部５２１は、中央部５２１ａ、第一傾斜部５２１ｂ、および第二傾斜部５２１ｃを有する。中央部５２１ａ、第一傾斜部５２１ｂ、および第二傾斜部５２１ｃは、何れも直線状の構成部である。
【００２１】
中央部５２１ａは、横方向に延在している。第一傾斜部５２１ｂは、中央部５２１ａの左端、および第一囲繞部５１の右下の端部につながっている。第一傾斜部５２１ｂは、中央部５２１ａから第一囲繞部５１へ近づくに従って上側に向かうように傾斜している。第二傾斜部５２１ｃは、中央部５２１ａの右端および後述する円筒部８につながっている。第二傾斜部５２１ｃは、中央部５２１ａから円筒部８へ近づくに従って上側に向かうように傾斜している。
【００２２】
上側第二囲繞部５２２は、下側第二囲繞部５２１と上下対称である。上側第二囲繞部５２２は、中央部５２２ａ、第一傾斜部５２２ｂ、および第二傾斜部５２２ｃを有する。中央部５２２ａ、第一傾斜部５２２ｂ、第二傾斜部５２２ｃは、何れも直線状の構成部である。中央部５２２ａは、横方向に延在している。第一傾斜部５２２ｂは、中央部５２２ａの左端、および第一囲繞部５１の右上の端部につながっている。第一傾斜部５２２ｂは、中央部５２２ａから第一枠状壁部５１へ近づくに従って下側へ向かうように傾斜している。第二傾斜部５２２ｃは、中央部５２２ａの右端および円筒部８につながっている。第二傾斜部５２２ｃは、中央部５２２ａから円筒部８へ近づくに従って下側へ向かうように傾斜している。
【００２３】
円筒部８は、底部壁部２１の一部であり、連通孔６に隣接して設けられている。円筒部８は、連通孔６を右側から囲む。円筒部８は、底部壁部２１の前面２１ａから前面側に向けて突出している。円筒部８は、円筒形状の構成部であり、中心部に連通孔９が形成されている。連通孔９は、円筒部８の前面側の空間と背面側の空間とを連通している。
【００２４】
囲繞部５および円筒部８は、連通孔６を囲む壁面７を有する。本実施形態の壁面７は、連通孔６の軸と平行である。壁面７は、第一壁面７１、第二壁面７２、接続壁面７３、および端部壁面７４を有する。平面視における壁面７の形状、言い換えると連通孔６の外形は、横方向の中央部がくびれた形状である。第一壁面７１は、第一囲繞部５１の内周面であり、連通孔６を囲んでいる。平面視における第一壁面７１の形状、すなわち連通孔６の軸と直交する断面形状は、中心角が１８０度よりも大きい円弧形状である。
【００２５】
第二壁面７２は、底部壁部２１における横方向の中央部に位置している。第二壁面７２は、第二囲繞部５２における連通孔６を囲む面である。第二壁面７２は、下側第二壁面７２１および上側第二壁面７２２を有する。下側第二壁面７２１は、下側第二囲繞部５２１の面であり、上側第二壁面７２２は、上側第二囲繞部５２２の面である。下側第二壁面７２１は、連通孔６を下側から囲み、上側第二壁面７２２は、連通孔６を上側から囲む。つまり、下側第二壁面７２１と上側第二壁面７２２とは連通孔６を挟んで縦方向において対向している。下側第二壁面７２１および上側第二壁面７２２の形状は、左右対称となっている。
【００２６】
下側第二壁面７２１は、中央壁面７２１ａ、第一傾斜壁面７２１ｂ、および第二傾斜壁面７２１ｃを有する。中央壁面７２１ａは、中央部５２１ａの面である。第一傾斜壁面７２１ｂは、第一傾斜部５２１ｂの面であり、第二傾斜壁面７２１ｃは、第二傾斜部５２１ｃの面である。
【００２７】
上側第二壁面７２２は、中央壁面７２２ａ、第一傾斜壁面７２２ｂ、および第二傾斜壁面７２２ｃを有する。中央壁面７２２ａは、中央部５２２ａの面である。第一傾斜壁面７２２ｂは、第一傾斜部５２２ｂの面であり、第二傾斜壁面７２２ｃは、第二傾斜部５２２ｃの面である。
【００２８】
中央壁面７２１ａ，７２２ａは、横方向に延在しており、縦方向において互いに対向している。第一傾斜壁面７２１ｂ，７２２ｂは、中央壁面７２１ａ，７２２ａにおける第一壁面７１側の端部とつながっている。第一傾斜壁面７２１ｂ，７２２ｂは、第一壁面７１へ向かうに従って互いに近づくように、横方向に対して傾斜している。第二傾斜壁面７２１ｃ，７２２ｃは、中央壁面７２１ａ，７２２ａにおける第一壁面７１側とは反対側の端部とつながっている。第二傾斜壁面７２１ｃ，７２２ｃは、第一壁面７１から遠ざかるに従って互いに近づくように、横方向に対して傾斜している。
【００２９】
接続壁面７３は、第一囲繞部５１におけるＣ字形状の周方向端部の壁面であり、第一囲繞部５１の内周面と外周面とをつないでいる。接続壁面７３の一端は第一壁面７１につながっており、他端は第二壁面７２につながっている。接続壁面７３は、下側接続壁面７３１および上側接続壁面７３２を有する。下側接続壁面７３１は、連通孔６を下側から囲み、上側接続壁面７３２は、連通孔６を上側から囲む。下側接続壁面７３１および上側接続壁面７３２は、横方向に延在しており、連通孔６を挟んで縦方向において互いに対向している。
【００３０】
端部壁面７４は、円筒部８の外周面であり、連通孔６を右側から囲んでいる。端部壁面７４は、壁面７における第一壁面７１側とは反対側の端部を構成している。端部壁面７４は、下側の第二傾斜壁面７２１ｃと上側の第二傾斜壁面７２２ｃとを縦方向につないでいる。端部壁面７４は、第一壁面７１側に向けて横方向に湾曲している。平面視における端部壁面７４の形状は、円弧形状である。
【００３１】
図１および図２に示すように、円筒部８の連通孔９は、文字板１０によって閉塞されている。文字板１０の縁部は、円筒部８とリング１１との間に挟み込まれている。リング１１は、円環形状の部材であり、その内径および外径は、円筒部８の内径および外径と同等である。円筒部８とリング１１は、文字板１０を間に挟んで連結されている。円筒部８とリング１１とは接着等によって接続されても、ロック機構等で連結されてもよい。
【００３２】
文字板１０は、円盤状の部材であり、その前面１０ａには走行速度の目盛り線１２および燃料残量の目盛り線１３が配置されている。文字板１０には、暗色系のインクによって、目盛り線１２，１３や文字等の指標に対応する形状が中抜きされた印刷が施されている。文字板１０には、図示しない光源によって背面側から光が照射される。光源からの光は、文字板１０の印刷の中抜き部を透過して、目盛り線１２，１３や文字を発光させる。文字板１０には、指針１４，１５の回転軸が挿通される貫通孔が設けられている。指針１４，１５は、文字板１０の背面側に配置されたモータによって軸周りに回転する。
【００３３】
液晶表示部１６は、画像を表示する表示面１７を有し、表示面１７によって連通孔６を背面側から閉塞する。本実施形態の液晶表示部１６は、例えば、薄膜トランジスタ（Thin  Film  Transistor）液晶表示器である。表示面１７の平面形状は、例えば、矩形である。液晶表示部１６は、表示面１７の画像表示領域と後述する突起部３０とが連通孔６の軸方向において重なるように配置されている。
【００３４】
図２に示すように、底部壁部２１は、表示面１７が当接可能な当接面１８を有する。当接面１８は、底部壁部２１における背面側の端面、より具体的には、第一囲繞部５１および第二囲繞部５２の背面側の面である。つまり、当接面１８は、第一壁面７１、第二壁面７２、および接続壁面７３に沿って形成されている。本実施形態の当接面１８は、連通孔６の軸方向と直交する面である。連通孔６の軸方向は、底部壁部２１の前面側から背面側へ、または底部壁部２１の背面側から前面側へ向かう方向であり、典型的には底部壁部２１と直交する方向である。当接面１８と、円筒部８における背面側の端面８ａとは同一平面上にある。液晶表示部１６は、表示面１７が当接面１８および端面８ａに当接するように、あるいは当接面１８および端面８ａに近接した状態で、ケース２に対して固定される。つまり、液晶表示部１６は、連通孔６の背面側の開口部を表示面１７によって塞ぐ。液晶表示部１６は、ケース２に対して直接固定されても、ケース２の背面側に連結される筐体等に固定され、当該筐体等を介してケース２に固定されてもよい。
【００３５】
図１等に示すように、囲繞部５には、枠部材４１が嵌合している。枠部材４１は、例えば、金属や合成樹脂等で形成されている。枠部材４１は、第一構成部４２および第二構成部４３を有する。第一構成部４２は、前面側から第一囲繞部５１に嵌合し、第一囲繞部５１の前面を覆っている。第一構成部４２は、前面４２ａの平面形状が円弧形状の構成部である。第一構成部４２は、第一囲繞部５１の外周面に嵌合している。第二構成部４３の形状は、第二囲繞部５２の形状に対応している。第二構成部４３は、第二囲繞部５２の外側面に嵌合し、第二囲繞部５２の前面を覆っている。
【００３６】
リング１１には、枠部材４５が嵌合している。枠部材４５の前面４５ａの平面形状は、円環形状である。枠部材４５は、リング１１の外周面に嵌合している。枠部材４１の第一構成部４２の外径および内径と、枠部材４５の外径および内径とは同一である。つまり、第一構成部４２の形状は、枠部材４５の一部を切り欠いた形状となっている。
【００３７】
本実施形態の車両用表示装置１は、連通孔６を囲む壁面７に設けられた複数の突起部３０を有する。突起部３０は、壁面７に、連通孔６を周回する周回方向Ｙ１（図３参照）に沿って配置されている。壁面７には、周回方向Ｙ１に沿って、所定の間隔で突起部３０が配置されている。突起部３０は、第一壁面７１、第二壁面７２、および接続壁面７３にそれぞれ設けられている。以下に説明するように、突起部３０は、液晶表示部１６の表示面１７と枠部５０との一体感を高めたり、親和性を向上させたりすることができる。
【００３８】
本実施形態の突起部３０は、下側第二壁面７２１における端部壁面７４との境界から、下側接続壁面７３１、第一壁面７１、上側接続壁面７３２を経由し、上側第二壁面７２２における端部壁面７４との境界まで、同じピッチで配置されている。図５等に示すように、突起部３０は、連通孔６の軸方向に延在している。
【００３９】
突起部３０は、先端面３１、第一側面３２、第二側面３３、および前側端面３４を有する。先端面３１は、突起部３０において壁面７から最も突出した部分に設けられた面であり、突出方向を向いている。本実施形態の先端面３１は、長方形の平面であり、その長辺方向は連通孔６の軸方向である。先端面３１の周回方向の幅Ｗ１は、連通孔６の軸方向に沿って一定である。側面３２，３３は、連通孔６の周回方向と交差する面である。第一側面３２は、先端面３１における周回方向の左端とつながっており、かつ先端面３１と交差する面である。第二側面３３は、先端面３１における周回方向の右端とつながっており、かつ先端面３１と交差する面である。側面３２，３３は、連通孔６の軸方向に延在する直線状のエッジ部（角部）３６において先端面３１と交差している。前側端面３４は、突起部３０における前面側の端面である。前側端面３４は、先端面３１における前面側の端とつながっており、かつ先端面３１と交差する面である。前側端面３４は、周回方向に延在する直線状のエッジ部３７において先端面３１と交差している。
【００４０】
図６には、図５のVI−VI断面が示されている。図６に示すように、本実施形態の突起部３０では、先端面３１が壁面７の垂線と直交している。先端面３１における周回方向の中央３１ａにおいて先端面３１の垂線Ｎ１を引くと、その垂線Ｎ１は、壁面７と直交する。例えば、図６には、第一壁面７１に設けられた突起部３０が示されている。第一壁面７１に設けられた突起部３０の先端面３１の垂線Ｎ１は、第一壁面７１の円弧の中心を通る。
【００４１】
図６に示すように、第一側面３２および第二側面３３は、先端面３１と壁面７（例えば、第一壁面７１）とをつないでいる。突起部３０において、壁面７との接続部を基端と称する。第一側面３２および第二側面３３は、壁面７から先端面３１へ向かうに従って互いに近づくように傾斜している。言い換えると、連通孔６の軸と平行な軸方向視において、第一側面３２および第二側面３３は、間に挟む先端面３１の垂線Ｎ１に対して傾斜している。一つの突起部３０において、第一側面３２および第二側面３３の傾斜方向は、先端面３１へ向かうに従って互いに近づく方向である。従って、連通孔６の軸と直交する断面における突起部３０の断面形状は、基端から先端へ向かうに従い幅Ｗが狭くなる先細形状である。また、本実施形態では、第一側面３２および第二側面３３がそれぞれ平面である。従って、突起部３０の断面形状は台形形状または略台形形状である。
【００４２】
周回方向に隣接する二つの突起部３０の間には、溝部４０がある。溝部４０は、互いに対向している第一側面３２および第二側面３３と、これらをつなぐ壁面７とによって囲まれている。壁面７は、溝部４０の底面となっている。連通孔６の軸と直交する断面における溝部４０の断面形状は、壁面７に近づくに従って幅が狭くなる先細形状である。本実施形態では、溝部４０の底部における幅Ｗ２は、先端面３１の幅Ｗ１よりも狭い。溝部４０の開口部における幅Ｗ３は、先端面３１の幅Ｗ１と同一または略同一である。
【００４３】
図７には、図５のVII−VII断面が示されている。図５および図７に示すように、前側端面３４は、傾斜面である。前側端面３４は、背面側から前面側へ向かうに従って先端面３１から壁面７に近づくように傾斜している。突起部３０の後側端面３５は、当接面１８の一部となっている。図５および図６に示すように、前側端面３４は、先端面３１から壁面７へ近づくに従って幅が広がる平面となっている。図７に示すように、突起部３０は、壁面７における背面側の端部から、前面側の所定の位置まで設けられている。壁面７には、突起部３０よりも前面側に、突起部３０が設けられていない領域７ａが存在してもよい。囲繞部５の前面５ａには、傾斜面５ｂが設けられている。傾斜面５ｂは、囲繞部５の前面５ａにおける壁面７側の縁に設けられている。傾斜面５ｂは、壁面７へ近づくに従って前面側から背面側へ向かうように傾斜している。
【００４４】
以下に説明するように、突起部３０は、液晶表示部１６の表示面１７と囲繞部５や枠部材４１との一体感を向上させることができる。例えば、壁面７に配列された複数の突起部３０のうち、少なくとも一部の突起部３０が液晶表示部１６と重なって表示面１７と枠部５０との一体感を向上させる。表示面１７と重なる突起部３０は、目視位置に応じて異なる。図８には、ある目視位置から見た車両用表示装置１が示されている。
【００４５】
図８の矢印Ｙ２で示す位置では、液晶表示部１６に表示された画像と突起部３０とが視線方向において重なり、画像が凹凸によって縁取られている。位置Ｙ２では、突起部３０の延在する方向と視線方向とが一致しており、突起部３０の凹凸形状の輪郭が表示面１７の画像と重なる。液晶表示部１６の平面的な意匠に対して突起部３０の凹凸が覆い被さり、立体感が演出される。突起部３０は、液晶表示部１６の画像と一体となって画像の周辺に立体的な意匠を構成し、表示面１７と枠部５０とを一体化させる。また、突起部３０が存在することで、壁面７と表示面１７との境界形状が変化に富んだものとなる。壁面７に突起部３０が設けられていない場合、境界の形状は変化に乏しいものとなりやすい。例えば、突起部３０が設けられていない第一壁面７１と表示面１７との境界の形状は単純な円弧形状となるため、境界線が明確かつ単調であり、第一壁面７１と表示面１７との境界がはっきりと意識されてしまう。
【００４６】
これに対して、本実施形態の壁面７では、周回方向Ｙ１の少なくとも一部の範囲において突起部３０に応じた凹凸の境界形状が画像と重なって視認される。より具体的には、交互に配置された突起部３０と溝部４０とによって、細かな凹凸を有する画像の境界線が形成される。さらに、視差によって、凹凸のピッチや凹凸の向き、突出量は、周回方向に沿って変化する。つまり、一定の目視位置から見た場合、隣り合う突起部３０の間に見える画像の幅や面積は、周回方向に沿って徐々に変化する。これにより、画像を含む意匠の立体感が演出される。本実施形態の車両用表示装置１では、突起部３０が連通孔６の軸方向に延在している。これにより、目視点が様々に変化しても、突起部３０と溝部４０からなる凹凸の輪郭と表示面１７の画像との重なりが見えるようになっている。
【００４７】
また、図８では、矢印Ｙ２で示す位置の突起部３０の延在する方向と、視線方向とが略一致している。従って、この目視位置からは、位置Ｙ２の突起部３０の前側端面３４は見えるが先端面３１が見えない。このため、突起部３０は画像の縁と重なる枠であるかのように認識される。従って、囲繞部５および枠部材４１は、突起部３０において表示面１７の画像と一体化する。一方、矢印Ｙ３で示す位置の突起部３０は、目視位置から前側端面３４だけでなく先端面３１も視認される。この位置Ｙ３では、表示面１７の光が先端面３１や壁面７で目視位置に向けて反射されている。これにより、先端面３１が表示面１７の画像と一体の意匠、または画像と枠部材４１とをつなぐ中間的な意匠を構成する。従って、突起部３０は、枠部５０と表示面１７とを融合させ、枠部５０と表示面１７との境界を曖昧にさせることができる。
【００４８】
また、突起部３０は、先端面３１と側面３２，３３とに明暗ができることや、壁面７にできる影によって立体的な意匠を演出する。つまり、突起部３０を有する壁面７は、立体的な形状と、表示面１７の光で発生する陰影とによって、複雑で立体的な視覚的効果を演出する。壁面７は、突起部３０が設けられることによって単なる壁ではなくなり、表示面１７と枠部材４１との境界部において両者を融合する。壁面７は、物理的には枠部５０の一部でありながら、視覚的・意匠的には表示面１７と一体化し、枠部５０と表示面１７とを結びつける。
【００４９】
また、先端面３１の明るさ、すなわち先端面３１の反射光の強さは、連通孔６の軸方向の位置によって変化する。この明るさのグラデーションにより、突起部３０の立体感がより変化に富んだものとなり、枠部５０と表示面１７との境界が意識されにくくなる。
【００５０】
図１に示すように、表示面１７には、目盛り指標としての目盛り線４７が表示される。目盛り線４７は、第一壁面７１に沿って規則的にかつ等間隔で配置されている。また、目盛り線４７の径方向内側には、文字指標４８が表示される。目盛り線４７および文字指標４８は、周方向に沿って配置される。さらに、表示面１７には、目盛り線４７および文字指標４８を指示する指針４９が表示される。言い換えると、液晶表示部１６は、表示面１７における第一囲繞部５１および第一構成部４２の内側の領域に、目盛り線４７、文字指標４８、および指針４９を表示する。円弧形状の構成部の内側にアナログメータを擬した画像が表示されることで、メータの視認性が高まる。
【００５１】
目盛り線４７の形状は、第一壁面７１から離間するに従って幅が狭くなる先細形状であり、突起部３０の形状との類似性が高い。周方向に沿って規則的に配置された目盛り線４７は、同様に周方向に沿って規則的に配置された突起部３０との類似性が高い。このように形状および配置の点で突起部３０との類似性が高い目盛り線４７が表示面１７に表示されることで、表示面１７と枠部５０との一体性が高まる。
【００５２】
図１に示すように、液晶表示部１６は、表示面１７に円弧形状の枠画像４６を表示する。枠画像４６は、枠部材４１の第一構成部４２と共に円環形状の枠意匠を構成する。つまり、枠画像４６は、第一構成部４２の円環の途切れた部分を補い、円形状の第一表示領域６１を形成する。第一表示領域６１は、表示面１７において第一構成部４２と枠画像４６とによって囲まれた領域である。第一表示領域６１には、目盛り線４７、文字指標４８、および目盛り線４７を指し示す指針４９や文字等を含む、アナログ式メータを擬した画像が表示される。底部壁部２１には、枠画像４６と第一構成部４２とによって構成される円環形状の枠と、円環形状の枠部材４５とが横方向に並ぶ。よって、車両用表示装置１は、横方向に円形状の文字板が二つ並んで配置されたメータ表示モードを実現することができる。
【００５３】
また、枠画像４６と枠部材４５との間には、第二表示領域６２が形成される。第二表示領域６２は、表示面１７において、枠画像４６と、枠部材４５と、第二囲繞部５２とによって囲まれた領域である。第二表示領域６２には、例えば、バッテリ電圧、オイル量、燃費情報等の車両の運転に関する情報が表示される。第二表示領域６２は、直線で構成された第二囲繞部５２によって上下から囲まれた領域であり、円形の第一表示領域６１とは明らかに形状が異なる。従って、車両用表示装置１を見る視認者は、必要な情報が表示されている領域を一目で見分けることができる。また、車両用表示装置１を見る視認者にとって、第一表示領域６１に表示される情報と第二表示領域６２に表示される情報とが異なるカテゴリーに属することや重要度が異なることが直感的に理解されやすい。枠画像４６は、表示面１７を２つの異なる表示領域６１，６２に分け、表示内容に対する視認者の直感的な理解を助ける。また、隣接する２つの領域６１，６２が形状的に異なる枠によって囲まれていることから、視認者は必要とする情報が表示されている位置に視線を短時間で合わせることができる。つまり、車両用表示装置１は、視認者が必要な情報を得るためのメータ注視時間を短縮させることができる。
【００５４】
また、車両用表示装置１では、第二表示領域６２を挟んで、横方向の両側に円形状の第一表示領域６１と文字板１０が配置される。第一表示領域６１および文字板１０は、円環形状の枠によって囲まれているため、互いに別の表示領域であることが視認者によって直感的に理解される。更に、第二表示領域６２は、両側の第一表示領域６１および文字板１０とは明らかに異なる形状であり、かつ直線的な第二囲繞部５２によって外側から囲まれている。よって、視認者は、２つの表示領域６１，６２および文字板１０から、必要な情報が表示されている領域を容易にかつ短時間で見分けることができる。
【００５５】
なお、液晶表示部１６は、枠画像４６によって表示面１７を分割することなく、表示面１７の全体を一つの情報表示領域とすることもできる。この場合には、分割されていない大きな表示面１７を活かした様々な情報表示形態が可能となる。
【００５６】
以上説明したように、本実施形態に係る車両用表示装置１は、枠部５０と、液晶表示部１６と、複数の突起部３０とを有する。枠部５０は、前面側と背面側とを連通する連通孔６を有する。液晶表示部１６は、画像を表示する表示面１７を有し、表示面１７によって連通孔６を背面側から閉塞する。複数の突起部３０は、枠部５０における連通孔６を囲む壁面７に連通孔６を周回する周回方向Ｙ１に沿って配置されている。突起部３０は、連通孔６の軸方向に延在している。
【００５７】
本実施形態に係る車両用表示装置１では、複数の突起部３０からなる凹凸が表示面１７の画像と重なることで、表示面１７と枠部５０とが融合する。突起部３０は、物理的には枠部５０と一体であるが、意匠的には表示面１７の画像と結びついて枠部５０と表示面１７との一体感を向上させる。従って、本実施形態の車両用表示装置１は、液晶表示部１６の表示面１７と枠部５０との一体感を向上させるという効果を奏する。
【００５８】
また、突起部３０は、突出方向の先端の先端面３１と、連通孔６の軸方向に延在するエッジ部３６において先端面３１と交差する側面３２，３３とを有する。これにより、先端面３１と側面３２，３３との明暗のコントラストや、各面３１，３２，３３でのグラデーションによる立体感が生まれる。この立体感は、表示面１７と枠部５０とを融合させる。表示面１７の画像が変化すると、その変化に応じて突起部３０のコントラストやグラデーションも変化する。よって、突起部３０は、表示面１７と枠部５０との一体感を向上させることができる。
【００５９】
本実施形態の車両用表示装置１において、連通孔６の軸と直交する断面における突起部３０の断面形状は、基端から先端へ向かうに従い幅Ｗが狭くなる先細形状である。先細形状の突起部３０では、先端面３１と第一側面３２との間、先端面３１と第二側面３３との間、および第一側面３２と第二側面３３との間で明暗のコントラストが発生する。よって、複雑な明暗のコントラスト、およびコントラストの変化によって表示面１７と枠部５０との一体感が向上する。
【００６０】
また、本実施形態の車両用表示装置１において、連通孔６の軸と直交する断面における突起部３０の断面形状は、台形形状である。断面形状が台形の突起部３０では、先端面３１と側面３２，３３とがエッジ部３６において交差する。よって、突起部３０においてエッジ部３６を境にした明暗のコントラストが生まれ、コントラストによる立体感が表示面１７と枠部５０との一体感を向上させる。
【００６１】
また、本実施形態の車両用表示装置１では、表示面１７を囲む囲繞部５が第一囲繞部５１と第二囲繞部５２を有する。第一囲繞部５１は、中心角が１８０度よりも大きい円弧形状の壁部であり、横方向に向けて開口している。第二囲繞部５２は、第一囲繞部５１の一端につながった下側第二囲繞部５２１および第一囲繞部５１の他端につながった上側第二囲繞部５２２を有する。第二囲繞部５２は、複数の直線部を有する屈曲形状の壁部であり、横方向に延在している。また、下側第二囲繞部５２１と上側第二囲繞部５２２とは表示面１７を挟むようにして縦方向において対向している。
【００６２】
表示面１７は、第一囲繞部５１によって囲まれた円形の表示領域と、第二囲繞部５２によって囲まれた多角形の表示領域とに分けられる。また、第一囲繞部５１と第二囲繞部５２との接続部分は、縦方向に向けて突き出たくびれ部５３となっている。第一囲繞部５１と下側第二囲繞部５２１との接続部分は、上側第二囲繞部５２２に向けて突き出ている。一方、第一囲繞部５１と上側第二囲繞部５２２との接続部分は、下側第二囲繞部５２１に向けて突き出ている。言い換えると、囲繞部５は、くびれ部５３において縦方向の間隔が狭くなっている。このくびれ部５３は、第一囲繞部５１によって囲まれる領域と、第二囲繞部５２によって囲まれる領域との境界を示す目印として機能する。よって、表示面１７は、第二囲繞部５２のくびれ部５３を境界とする二つの表示領域に分けられる。
【００６３】
更に、本実施形態の車両用表示装置１では、枠画像４６によって二つの表示領域６１，６２が仕切られる。枠画像４６は、表示面１７を第一表示領域６１と第二表示領域６２とに仕切る。これにより、二つの表示領域６１，６２の境界が更に明確となり、第一表示部３の視認性が向上する。
【００６４】
なお、第一囲繞部５１の形状、および第二囲繞部５２の形状は、例示した形状には限定されない。例えば、第一囲繞部５１は、楕円の円弧形状等であってもよい。第二囲繞部５２の形状は、中央部５２１ａ，５２２ａが外側に向けて膨らんだ形状に代えて、中央部５２１ａ，５２２ａが内側に向けて凹んだ形状等であってもよい。また、本実施形態の第二囲繞部５２は、第一囲繞部５１側と反対側の端部が円筒部８につながっているが、これには限定されない。第二囲繞部５２は、下側第二囲繞部５２１および上側第二囲繞部５２２に加えて、下側第二囲繞部５２１と上側第二囲繞部５２２とを縦方向につなぐ壁部を有していてもよい。
【００６５】
なお、本実施形態では、連通孔６を囲む壁面７に突起部３０が設けられているとして説明したが、壁面７に溝部４０が設けられていると考えてもよい。溝部４０の底面を基準面とした場合には、壁面７から突起部３０が突出していることになる。一方、突起部３０の先端面３１を基準面とした場合には、壁面７に溝部４０が設けられていることになる。つまり、壁面７には、連通孔６の軸方向に延在する凹部と凸部が周回方向に沿って交互に設けられていればよいのである。
【００６６】
［実施形態の変形例］
実施形態の変形例について説明する。突起部３０の形状は、例示したものには限定されない。連通孔６の軸と直交する断面における突起部３０の断面形状は、先細形状に代えて、周回方向の幅Ｗが基端から先端まで一定な矩形であってもよい。突起部３０の断面形状は、基端側では幅Ｗが一定であり、先端側は先細形状となっていてもよい。側面３２，３３の傾斜角度は、基端側から先端側へ向けて複数段階に変化してもよい。例えば、先端面３１の垂線Ｎ１に対する側面３２，３３の傾斜角度は、基端側から先端側へ向かうに従って段階的に大きくなっていてもよい。一例として、基端部では側面３２，３３は垂線Ｎ１と平行（傾斜角度＝０）であり、先端側へ向かうに従って傾斜角度が増加するように変化していてもよい。
【００６７】
連通孔６の軸と直交する断面における突起部３０の断面形状は、四角形以外の多角形、例えば三角形であってもよい。突起部３０は、連通孔６の軸方向に沿って延在するエッジを有することが好ましい。このようなエッジを有する突起部３０では、そのエッジを境にした明暗のコントラストが発生する。よって、エッジを有する突起部３０は、立体感を演出して表示面１７と枠部５０との一体感を向上させる点で有利である。
【００６８】
突起部３０の断面形状は、円弧等の湾曲部を有する形状であってもよい。湾曲部は、凹状および凸状の何れであってもよい。湾曲部を有する場合であっても、突起部３０は連通孔６の軸方向に延在するエッジを有することが好ましい。突起部３０の形状は、例えば、隣接する２つの湾曲面の境界が連通孔６の軸方向に延在するエッジとなっている立体形状であってもよい。
【００６９】
突起部３０の先端面３１の幅Ｗ１は、連通孔６の軸方向に沿って変化してもよい。一例として、幅Ｗ１は、前面側から背面側へ向かうに従って増加しても、これとは逆に背面側へ向かうに従って減少していてもよい。
【００７０】
突起部３０の先端面３１は、エッジ部３６によって区切られていなくてもよい。例えば、突起部３０において、エッジ部３６に相当する部分が湾曲しており、先端面３１と側面３２，３３とが湾曲部を介してつながっていてもよい。
【００７１】
表示面１７を有する表示部は、液晶表示部１６には限定されない。表示部は、液晶以外の方式によって表示面１７に画像を表示するものであってもよい。連通孔６を囲む壁面７は、連通孔６の軸に対して傾斜していてもよい。例えば、壁面７は、背面側から前面側へ向かうに従って連通孔６の断面積が拡大するように傾斜していてもよい。
【００７２】
枠部材４１は、囲繞部５と一体となっていてもよい。例えば、枠部材４１は、合成樹脂等によってケース２と一体に形成されていてもよい。枠部材４１は、二色成形によって囲繞部５と一体化されてもよい。あるいは、枠部材４１は、囲繞部５の表面に塗装等によって設けられてもよい。また、枠部材４１は、囲繞部５の前面を覆っていなくてもよく、例えば囲繞部５を外側から囲んでいるものであってもよい。枠部材４１は、囲繞部５よりも前面側に突出していなくてもよく、例えば、囲繞部５および枠部材４１の前面側の端面が面一となっていてもよい。このように、装飾としての枠（枠部材４１）は、囲繞部５に対して固定あるいは一体化され、表示面１７を囲むように適宜設けられる。囲繞部５は、底部壁部２１とは別の部材であってもよい。ケース２は、底部壁部２１を備えていなくてもよい。
【００７３】
上記の実施形態および変形例に開示された内容は、適宜組み合わせて実行することができる。
【符号の説明】
【００７４】
１  車両用表示装置
２  ケース
５  囲繞部
６  連通孔
７  壁面（面）
８  円筒部
１０  文字板
１６  液晶表示部（表示部）
１７  表示面
１８  当接面
２１  底部壁部（壁部）
２２  側壁部
３０  突起部
３１  先端面
３２  第一側面
３３  第二側面
３４  前側端面
３５  後側端面
３６，３７  エッジ部
４０  溝部
４１，４５  枠部材
４２  第一構成部
４３  第二構成部
４６  枠画像
４７  目盛り線
４８  文字指標
４９  指針
５０  枠部
５１  第一囲繞部
５２  第二囲繞部
５３  くびれ部
６１  第一表示領域
６２  第二表示領域
７１  第一壁面
７２  第二壁面
７２１  下側第二壁面
７２２  上側第二壁面
７３  接続壁面
７４  端部壁面
【図１】
2017083261.tif 000003
【図２】
2017083261.tif 000004
【図３】
2017083261.tif 000005
【図４】
2017083261.tif 000006
【図５】
2017083261.tif 000007
【図６】
2017083261.tif 000008
【図７】
2017083261.tif 000009
【図８】
2017083261.tif 000010